(57)【要約】【課題】デザイン性がよく、かつ、使用者の使い勝手がよい水栓装置を提供する。【解決手段】本発明の水栓装置１は、壁面６から前方に突出して形成された棚１２と、吐水口２２が形成され、棚から引き出し可能なプルアウト式のスパウト１４と、給水源とスパウトとを接続するホース２４と、棚の下側に設けられ、非使用時のスパウトを収納すると共にその下方がスパウトを収納位置Ｐ１から取り出し可能に開放される収納部Ｓと、壁面に設けられて、非使用時のスパウトを収納部内に固定する固定部材２６と、この固定部材に固定／固定解除可能に設けられ、スパウトの引き出し方向を変更可能にスパウト及びホースを保持する保持部材２８と、を有し、この保持部材は、スパウトを収納部から引き出す前の準備として、スパウトを収納部の収納位置から引出可能位置Ｐ２まで下方に傾斜可能である。【選択図】図４
2019039284.tif 000002
【特許請求の範囲】
【請求項１】
ボウルから上方に立ち上がる壁面に設けられる水栓装置であって、
上記壁面から前方に突出して形成された棚と、
吐水口が形成され、上記棚から引き出し可能なプルアウト式のスパウトと、
給水源と上記スパウトとを接続するホースと、
上記棚の下側に設けられ、非使用時の上記スパウトを収納すると共にその下方が上記スパウトを収納位置から取り出し可能に開放される収納部と、
上記壁面に設けられて、非使用時の上記スパウトを上記収納部内に固定する固定部材と、
この固定部材に固定／固定解除可能に設けられ、上記スパウトの引き出し方向を変更可能に上記スパウト及び上記ホースを保持する保持部材と、を有し、
この保持部材は、上記スパウトを上記収納部から引き出す前の準備として、上記スパウトを上記収納部の収納位置から引出可能位置まで下方に傾斜可能であることを特徴とする水栓装置。
【請求項２】
上記スパウトは、上記引出可能位置で上記保持部材に対して引き出し操作が可能であり、この引き出し操作に要する引出操作力は、上記スパウトを上記収納位置から上記引出可能位置に向かって下方に傾斜させる傾斜操作力よりも大きい請求項１記載の水栓装置。
【請求項３】
上記引出可能位置における上記スパウトは、その上端が上記棚よりも下方に位置している請求項１又は２に記載の水栓装置。
【請求項４】
上記保持部材は、上記スパウトが上記収納部から取り出された状態では上記固定部材によって固定された状態である請求項１乃至３の何れか１項に記載の水栓装置。
【請求項５】
上記固定部材は、上記保持部材の固定位置を切り替え可能にする固定位置切替部を備え、この固定位置切替部は、上記保持部材を第１固定位置に固定する第１凹部と、上記保持部材を上記第１固定位置とは異なる第２固定位置に固定する第２凹部と、これらの第１凹部と第２凹部との間に設けられて上記保持部材の傾斜を規制する金属製の凸部と、を備え、
上記保持部材は、上記収納位置から上記引出可能位置まで上記スパウトと共に下方に傾斜可能な樹脂製の本体と、この本体に設けられた金属製のボールと、を備え、このボールは、上記収納位置と上記引出可能位置に応じて上記凸部を乗り越えて上記第１凹部又は上記第２凹部のいずれかに嵌合可能である請求項１乃至４の何れか１項に記載の水栓装置。
【請求項６】
上記保持部材は、さらに、上記ホースとの間に設けられた水浸入抑制部材を備え、この水浸入抑制部材は、上記スパウト側からの水の浸入を抑制すると共に上記スパウトが引き出される際に上記ホースを摺動可能に保持するものである請求項１乃至５の何れか１項に記載の水栓装置。
【請求項７】
上記収納位置における上記スパウトの上面と上記棚の下面との間には、隙間が形成されている請求項１乃至６の何れか１項に記載の水栓装置。
【請求項８】
請求項１乃至７の何れか１項に記載の水栓装置と、この水栓装置のスパウトから吐水されるボウルと、を備えた洗面化粧台。
【発明の詳細な説明】
【技術分野】
【０００１】
本発明は、水栓装置に関し、特に、ボウルから上方に立ち上がる壁面に設けられる水栓装置及びそれを備えた洗面化粧台に関する。
【背景技術】
【０００２】
従来から、ボウルから上方に立ち上がる壁面に設けられる水栓装置及びそれを備えた洗面化粧台として、例えば、特許文献１、２に記載されているように、吐水口が形成されたスパウトが壁面に対して引き出し可能になっている、いわゆる、「プルアウト式のスパウト」を備えているものが知られている。
このような従来の洗面化粧台においては、使用時に、このようなプルアウト式のスパウトを引き出すことにより、スパウトの姿勢を自由に操作することができるため、ボウル周辺の作業スペースを確保しつつ、スパウトからボウル内に向けて効率良く吐水を行うことができるようになっている。
【先行技術文献】
【特許文献】
【０００３】
【特許文献１】特開２００８−１２５６４５号公報
【特許文献２】特開２０１４−１５７４０号公報
【発明の概要】
【発明が解決しようとする課題】
【０００４】
しかしながら、上述した従来のプルアウト式のスパウトを備えた水栓装置及びそれを備えた洗面化粧台においては、スパウトが洗面化粧台から露出しており、デザイン性を低下させる一因となっている。
また、近年では、洗面化粧台に対する使用者のニーズが多様化しており、例えば、洗面化粧台のボウルから上方に立ち上がる壁面の途中において、使用者が洗顔動作等の際に身に着けている眼鏡や腕時計、化粧品等の小物を置くための棚を設ける等のニーズもあるが、その反面、洗面化粧台のデザイン性が損なわれるおそれがあるという問題がある。
さらに、洗面化粧台の壁面にこのような棚を設けた場合には、デザイン性を考慮して、プルアウト式のスパウトを棚の一部に隠蔽することも想定されるが、スパウトと棚との互いの距離や配置によっては、スパウトを引き出した際に、スパウトが棚に接触し、うまく引き出せないという問題もある。
したがって、プルアウト式のスパウトをいかにして洗面化粧台の棚の周辺に隠蔽してデザイン性を向上させつつ、スパウトの引き出し時の操作性を向上させるかが近年要請された課題となっている。
【０００５】
そこで、本発明は、上述した従来技術の問題を解決するためになされたものであり、デザイン性がよく、かつ、使用者の使い勝手がよい水栓装置を提供することを目的としている。
【課題を解決するための手段】
【０００６】
上述した課題を解決するために、本発明は、ボウルから上方に立ち上がる壁面に設けられる水栓装置であって、上記壁面から前方に突出して形成された棚と、吐水口が形成され、上記棚から引き出し可能なプルアウト式のスパウトと、給水源と上記スパウトとを接続するホースと、上記棚の下側に設けられ、非使用時の上記スパウトを収納すると共にその下方が上記スパウトを収納位置から取り出し可能に開放される収納部と、上記壁面に設けられて、非使用時の上記スパウトを上記収納部内に固定する固定部材と、この固定部材に固定／固定解除可能に設けられ、上記スパウトの引き出し方向を変更可能に上記スパウト及び上記ホースを保持する保持部材と、を有し、この保持部材は、上記スパウトを上記収納部から引き出す前の準備として、上記スパウトを上記収納部の収納位置から引出可能位置まで下方に傾斜可能であることを特徴としている。
このように構成された本発明においては、収納部に収納された状態のスパウトについて、使用時に、仮に、棚や収納部の前方に向かって単純に引き出そうとすると、スパウトが棚や収納部に接触する等して引き出すことができない。しかしながら、スパウトを収納部から引き出す前の準備として、保持部材について固定部材との固定を解除して下方に傾斜させる。これにより、スパウト及びホースについて収納部の収納位置から引出可能位置まで下方に傾斜させることができる。そして、スパウト及びホースを下方に傾斜させた状態で保持部材を固定部材に対して固定することができる。
したがって、非使用時のスパウトについては収納部内に隠蔽することによりデザイン性を向上させることができると共に、使用時のスパウトやホースについては、棚や収納部に接触させることなく、スムーズに安定して引き出すことができる。
これらの結果、デザイン性がよく、かつ、使用者の使い勝手がよい水栓装置を提供することができる。
【０００７】
本発明において、好ましくは、上記スパウトは、上記引出可能位置で上記保持部材に対して引き出し操作が可能であり、この引き出し操作に要する引出操作力は、上記スパウトを上記収納位置から上記引出可能位置に向かって下方に傾斜させる傾斜操作力よりも大きい。
このように構成された本発明においては、スパウトの引き出し操作に要する引出操作力が、スパウトを収納位置から引出可能位置に向かって下方に傾斜させる傾斜操作力よりも大きいため、スパウトを収納部から引き出す前の準備として、傾斜操作力でスパウトを収納位置から引出可能位置に向かって下方に傾斜させた際には、スパウトは、保持部材から引き出されることなく、固定部材に対しても固定された状態が維持される。
したがって、スパウトを下方に傾斜させた際に、スパウトが固定部材から誤って脱落してしまうことを防ぐことができる。
【０００８】
本発明において、好ましくは、上記引出可能位置における上記スパウトは、その上端が上記棚よりも下方に位置している。
このように構成された本発明においては、引出可能位置におけるスパウトの上端が棚よりも下方に位置しているため、引出可能位置のスパウトについて引き出し操作を行った際には、スパウトと棚とが互いに接触することを防ぐことができる。
したがって、スパウトや棚の損傷を防ぐことができる。
【０００９】
本発明において、好ましくは、上記保持部材は、上記スパウトが上記収納部から取り出された状態では上記固定部材によって固定された状態である。
このように構成された本発明においては、スパウトが収納部から取り出されて状態では、保持部材が固定部材によって固定された状態であるため、引出可能位置のスパウトを保持部材に対して引き出す際には、安定した引き出し操作を行うことができる。
また、使用後の引き出した状態のスパウトを元の引出可能位置に戻す際にも、保持部材が固定部材によって固定された状態であるため、安定した戻し操作を行うことができる。
したがって、収納部に対するスパウトの収納性についても向上させることができる。
【００１０】
本発明において、好ましくは、上記固定部材は、上記保持部材の固定位置を切り替え可能にする固定位置切替部を備え、この固定位置切替部は、上記保持部材を第１固定位置に固定する第１凹部と、上記保持部材を上記第１固定位置とは異なる第２固定位置に固定する第２凹部と、これらの第１凹部と第２凹部との間に設けられて上記保持部材の傾斜を規制する金属製の凸部と、を備え、上記保持部材は、上記収納位置から上記引出可能位置まで上記スパウトと共に下方に傾斜可能な樹脂製の本体と、この本体に設けられた金属製のボールと、を備え、このボールは、上記収納位置と上記引出可能位置に応じて上記凸部を乗り越えて上記第１凹部又は上記第２凹部のいずれかに嵌合可能である。
このように構成された本発明においては、例えば、スパウトが収納位置にあるときには、保持部材の金属製のボールが固定部材の固定位置切替部の第１凹部に嵌合する。これにより、保持部材が固定部材に対して第１固定位置に固定される。
そして、スパウトを収納位置から引出可能位置に傾斜させる際には、保持部材の金属製のボールが、保持部材の傾斜を規制する固定部材の金属製の凸部を乗り越えた後、固定部材の第２凹部に嵌合する。これにより、保持部材が固定部材に対して第２固定位置に固定される。
このとき、保持部材の本体が樹脂製の本体であっても、保持部材のボールと固定部材の凸部が保持部材の本体よりも剛性のある金属製であるため、保持部材のボールが固定部材の凸部に接触して乗り越える際に、互いの摩耗や損傷を抑制することができる。
したがって、保持部材と固定部材のそれぞれの耐久性を向上させることができる。
【００１１】
本発明において、好ましくは、上記保持部材は、さらに、上記ホースとの間に設けられた水浸入抑制部材を備え、この水浸入抑制部材は、上記スパウト側からの水の浸入を抑制すると共に上記スパウトが引き出される際に上記ホースを摺動可能に保持するものである。
このように構成された本発明においては、ホースと保持部材との間に水浸入抑制部材を設けたことにより、スパウト側から保持部材を介して固定部材へ水が浸入することを抑制することができるばかりでなく、スパウトが引き出される際にホースを安定してガイドすることができる。
また、使用後の引き出した状態のスパウトを元の引出可能位置に戻す際や、引出可能位置から収納位置に戻す際にも、スパウトやホースを安定してガイドすることもできる。
したがって、スパウト及びホースについて、引き出し時の操作性、並びに、引き戻し時や収納時の操作性を向上させることができる。
【００１２】
本発明において、好ましくは、上記収納位置における上記スパウトの上面と上記棚の下面との間には、隙間が形成されている。
このように構成された本発明においては、収納位置におけるスパウトの上面と棚の下面との間に隙間により、スパウトが収納部に収納された際に棚と接触することを防ぐことができる。
したがって、スパウトと棚との接触による損傷や異音の発生を防ぐことができる。
【００１３】
また、本発明は、本発明の水栓装置と、この水栓装置からスパウトから吐水されるボウルと、を備えた洗面化粧台である。
このように構成された本発明においては、非使用時のスパウトについては収納部内に隠蔽することによりデザイン性を向上させることができると共に、使用時のスパウトやホースについては、棚や収納部に接触させることなく、スムーズに安定して引き出すことができる洗面化粧台を提供することができる。
したがって、デザイン性がよく、かつ、使用者の使い勝手がよい水栓装置を備えた洗面化粧台を提供することができる。
【発明の効果】
【００１４】
本発明の水栓装置によれば、デザイン性がよく、かつ、使用者の使い勝手がよい。
【図面の簡単な説明】
【００１５】
【図１】本発明の一実施形態による水栓装置を備えた洗面化粧台の概略斜視図である。
【図２】本発明の一実施形態による水栓装置の概略斜視図である。
【図３】図２のＩＩＩ−ＩＩＩ線に沿った水栓装置の断面図であり、スパウトが非使用時に収納スペース内の収納位置にある状態を示す。
【図４】図３と同様な本発明の一実施形態による水栓装置の断面図であり、スパウトが使用時に収納スペース内の収納位置から引出可能位置まで下方に傾斜された状態を示す。
【図５】本発明の一実施形態による水栓装置の分解斜視図である。
【図６】図５のＶＩ−ＶＩ線に沿った断面図であり、収納位置の非使用時のスパウトを保持する保持部材が固定部材の第１固定位置に固定されている状態の正面断面図である。
【図７】図５に示す本発明の一実施形態による水栓装置の固定部材の一方の固定位置切替部を拡大した部分拡大図である。
【図８】本発明の一実施形態による水栓装置における固定部材と保持部材の側面図であり、収納位置の非使用時のスパウトを保持する保持部材が固定部材の第１固定位置に固定されている状態を示す。
【図９】本発明の一実施形態による水栓装置における固定部材と保持部材の側面図であり、収納位置から下方に傾斜された引出可能位置のスパウトを保持する保持部材が固定部材の第２固定位置に固定されている状態を示す。
【発明を実施するための形態】
【００１６】
以下、添付図面を参照して、本発明の一実施形態による水栓装置、及び、それを備えた洗面化粧台について説明する。
まず、図１は、本発明の一実施形態による水栓装置を備えた洗面化粧台の概略斜視図である。
図１に示すように、本発明の一実施形態による水栓装置１は、洗面化粧台２のボウル４から上方に立ち上がる壁面６に設けられている。
洗面化粧台２は、ボウル４と、このボウル４の下方に設けられた下部キャビネット８と、水栓装置１の上方に配置された上部キャビネット１０と、を有する。
なお、下部キャビネット８や上部キャビネット１０の詳細な説明については省略するが、下部キャビネット８の内部には、水道水の吐水、停止を切り換える電磁弁（図示せず）等の機器が収納されている。また、上部キャビネット１０の前面には、鏡が取り付けられている。
【００１７】
つぎに、図２は、本発明の一実施形態による水栓装置の概略斜視図であり、図３は、図２のＩＩＩ−ＩＩＩ線に沿った水栓装置の断面図である。
図１〜図３に示すように、水栓装置１は、棚１２、スパウト１４と、操作ハンドル１６と、タッチスイッチ１８と、人体検知センサ２０とを備えている。
図１〜図３に示すように、棚１２は、壁面６の上下方向のほぼ中間位置に設けられている。そして、棚１２は、壁面６から前方に突出し、正面側から見て上下方向の幅（縦幅）よりも左右方向の幅（横幅）が長い概ね直方体形状に形成されている。
また、図１〜図３に示すように、棚１２の上面は平面状に形成されている。これにより、例えば、使用者がボウル４内で洗顔動作等の際に、身に着けている眼鏡や腕時計、化粧品等の小物を棚１２の上面に置くことができるようになっている。
【００１８】
つぎに、図２及び図３に示すように、スパウト１４は、棚１２の下面中央の収納部（収納スペースＳ）内の所定の収納位置Ｐ１に着脱可能に収納されている。
すなわち、図３に示す水栓装置１においては、スパウト１４が非使用時に収納スペースＳ内の収納位置Ｐ１にある状態を示す。
本実施形態の水栓装置１では、スパウト１４について所定の手動操作（詳細は後述する）を行うことにより、棚１２に対して引き出した状態で使用可能な、いわゆる、「プルアウト式のスパウト」として機能するようになっている。
なお、プルアウト式のスパウト１４の構造の詳細については後述する。
また、図２及び図３に示すように、スパウト１４は、その前端且つ下端に吐水口２２が設けられている。ボウル４内で洗面や手洗い等に使用する水道水は、この吐水口２２によりボウル４に向けて吐水されるようになっている。
【００１９】
つぎに、図２に示すように、操作ハンドル１６は、棚１２に内蔵された流調・温調バルブ（図示せず）に連結されている。この操作ハンドル１６について、前後方向に操作することによりスパウト１４から吐出される湯水の流量を調整することができると共に、左右方向に操作することにより湯水の温度を調整することができるようになっている。
【００２０】
つぎに、図２に示すように、タッチスイッチ１８は、棚１２の前面に設けられており、例えば、スパウト１４が棚１２から引き出されている状態においてタッチスイッチ１８を手動で操作することができるようになっている。このタッチスイッチ１８の手動操作により、スパウト１４を吐水状態又は止水状態のいずれかの状態に切り換えることができるようになっている。
【００２１】
つぎに、図２及び図３に示すように、人体検知センサ２０は、棚１２の前端部の下面に設けられており、スパウト１４の吐水口２２の下方付近に接近する手指等の被検知物の有無を検知し、この検知した信号に基づいて自動吐水を行うことができるようになっている。
なお、本実施形態においては、人体検知センサ２０として赤外線式のセンサを採用した例について説明するが、赤外線式のセンサ以外にも、マイクロ波式センサ等、他の種類の非接触タイプのセンサを採用してもよい。
【００２２】
つぎに、図２〜図１０を参照して、本実施形態の水栓装置１のプルアウト式のスパウト１４の構造について具体的に説明する。
まず、図２及び図３に示すように、収納スペースＳは、棚１２の下側に設けられ、非使用時のスパウト１４を収納する収納部である。非使用時のスパウト１４その大部分は、この収納スペースＳ内の所定の収納位置Ｐ１に収納されている。
つぎに、図２及び図３に示すように、棚１２の収納スペースＳの前側及び両側は、棚壁１２ａによって覆われている。一方、棚１２の収納スペースＳの下方は開放されている。これらにより、収納スペースＳ内に収納されている状態のスパウト１４は、その下側部分と吐水口２２の部分のみが棚１２から露出している状態となっている。
また、図３に示すように、収納位置Ｐ１のスパウト１４は、その長手方向が前後方向に水平に延びた姿勢となっている。これにより、スパウト１４をそのままの姿勢で前方に引き出そうとすると、スパウト１４がその前方の棚壁１２ａに接触してしまうため、引き出すことができないようになっている。
【００２３】
一方、図４は、図３と同様な本発明の一実施形態による水栓装置の断面図であり、スパウトが使用時に収納スペース内の収納位置から引出可能位置まで下方に傾斜された状態を示す。
図３及び図４に示すように、収納スペースＳの下方は、スパウト１４を収納位置Ｐ１から取り出し可能に開放されている。したがって、スパウト１４については、収納スペースＳから引き出す前の準備として、詳細は後述する所定の手動操作を行うことにより、収納スペースＳ内の収納位置Ｐ１（図３参照）から収納スペースＳの外部の引出可能な位置（図４に示す「引出可能位置Ｐ２」）まで下方に傾斜可能にする構造となっている。
また、図３及び図４に示すように、スパウト１４は、ホース２４を介して水道や給湯器等の給水源（図示せず）に接続されている。
【００２４】
つぎに、図３〜図１０を参照して、本実施形態の水栓装置１のプルアウト式のスパウト１４について収納スペースＳ内の収納位置Ｐ１から引出可能位置Ｐ２まで傾斜可能にする構造について具体的に説明する。
まず、図５は、本発明の一実施形態による水栓装置の分解斜視図である。
図５に示すように、水栓装置１の基本構造として、壁面６の表側から前方に向かって、固定部材２６、保持部材２８、及び、スパウト１４がそれぞれ設けられている。
【００２５】
図３〜図５に示すように、固定部材２６は、複数のねじ部材３０によって壁面６に固定されている。この固定部材２６は、詳細は後述する保持部材２８を介して、非使用時のスパウト１４を収納スペースＳ内に固定することができるようになっている。
また、図３〜図５に示すように、保持部材２８は、樹脂製の本体３２と、ホースガイド３４と、複数の止め輪３６，３８と、を備えている。
まず、図３〜図５に示すように、樹脂製の本体３２は、詳細は後述するが、固定部材２６に対して固定／固定解除可能に設けられている。
【００２６】
図３〜図５に示すように、ホースガイド３４は、概ね円筒状に形成されており、その外側の複数の止め輪３６，３８によって本体３２の内部に固定されている。このホースガイド３４は、その内周側でホース２４を摺動可能に保持している。これにより、スパウト１４の引き出し時及び引き戻し時には、ホース２４をホースガイド３４のガイド穴ｈ１に沿って安定してガイドすることができるようになっている。
また、ホースガイド３４は、ホース２４の外周面とこれと対向する保持部材２８の本体３２の内周面との間の隙間を塞ぐように配置されているため、水が浸入することを抑制する水浸入抑制部材としても機能するようになっている。例えば、スパウト１４及びホース２４が引き出された状態でスパウト１４側からホース２４の表面を伝わった水滴は、ホースガイド３４で阻止されるため、保持部材２８の本体３２の内部や固定部材２６の内部、さらに、壁面６の裏側にほとんど浸入することができないようになっている。
【００２７】
つぎに、図６は、図５のＶＩ−ＶＩ線に沿った水栓装置の断面図である。
まず、図５及び図６に示すように、保持部材２８の本体３２は、円筒部３２ａと、側壁部３２ｂ，３２ｂと、一対の回動部３２ｃ，３２ｃとを備えている。
まず、図５及び図６に示すように、本体３２の円筒部３２ａは、本体３２のほぼ中央部を前後方向に延びるようにほぼ円筒状に形成されている。
つぎに、図５及び図６に示すように、本体３２の側壁部３２ｂ，３２ｂは、円筒部３２ａの左右両側に所定間隔を置いて設けられている。
また、図５及び図６に示すように、本体３２の一対の回動部３２ｃ，３２ｃは、各側壁部３２ｂ，３２ｂの後端から後方側に突出し、かつ、円筒部３２ａの左右両側に所定間隔を置いて設けられている。
【００２８】
つぎに、図５及び図６に示すように、固定部材２６は、一対の固定位置切替部２６ａ，２６ａと、一対の回動取付部２６ｂ，２６ｂと、を備えている。
一対の固定位置切替部２６ａ，２６ａは、固定部材２６に対する保持部材２８の本体３２の固定位置を切り替え可能にするものである。
なお、本実施形態の水栓装置１の固定部材２６に対する保持部材２８の本体３２の固定位置を切り替え可能にする構造の詳細については後述する。
また、図５及び図６に示すように、一対の固定位置切替部２６ａ，２６ａは、固定部材２６の前面から前方に突出した突出部に設けられている。そして、これら一対の固定位置切替部２６ａ，２６ａ同士の間には、保持部材２８の本体３２の円筒部３２ａが嵌め込まれている。
さらに、図５及び図６に示すように、各固定位置切替部２６ａ，２６ａとその外側の固定部材２６の内壁面２６ｃとの間には、保持部材２８の本体３２の各側壁部３２ｂ，３２ｂ及び各回動部３２ｃ，３２ｃが嵌め込まれている。そして、保持部材２８の本体３２の各回動部３２ｃ，３２ｃは、固定部材２６の各回動取付部２６ｂ，２６ｂの内面（内壁面２６ｃ）に対してピボットピン４０によって回動可能に取り付けられている。
【００２９】
図３、図５及び図６に示すように、保持部材２８の本体３２が固定部材２６に取り付けられた状態では、保持部材２８の本体３２の円筒部３２ａ内及びホースガイド３４内のガイド穴ｈ１（図５及び図６参照）の中心を通る前後方向の中心軸線Ａ１が、固定部材２６を前後方向に貫くガイド穴ｈ２（図５参照）の中心を通る前後方向の中心軸線Ａ１と一致している。
さらに、図３〜図６に示すように、スパウト１４及びホース２４を保持している状態の保持部材２８（本体３２及びホースガイド３４）については、固定部材２６の各回動取付部２６ｂ，２６ｂの中心を通る左右方向に延びる中心軸線Ａ２と一致し且つ保持部材２８の本体３２の各回動部３２ｃ，３２ｃの中心を通る左右方向に延びる回転中心軸線Ａ３を中心に回動可能となっている。
【００３０】
つぎに、図５〜図９を参照して、本実施形態の水栓装置１の固定部材２６に対する保持部材２８の本体３２の固定位置を切り替え可能にする構造について具体的に説明する。
図７は、図５に示す本発明の一実施形態による水栓装置の固定部材の一方の固定位置切替部を拡大した部分拡大図である。
また、図８は、本発明の一実施形態による水栓装置における固定部材と保持部材の側面図であり、収納位置の非使用時のスパウトを保持する保持部材が固定部材の第１固定位置に固定されている状態を示す。
さらに、図９は、本発明の一実施形態による水栓装置における固定部材と保持部材の側面図であり、収納位置から下方に傾斜された引出可能位置のスパウトを保持する保持部材が固定部材の第２固定位置に固定されている状態を示す。
【００３１】
まず、図６〜図９に示すように、固定部材２６の各固定位置切替部２６ａは、２つの第１凹部４２及び第２凹部４４と、平行ピン４６と、を備えている。
第１凹部４２及び第２凹部４４のそれぞれは、各固定位置切替部２６ａの外側面にほぼ半球面状に形成されており、互いに上下方向に所定間隔を置いて配置されている。
つぎに、図６〜図９に示すように、平行ピン４６は、各固定位置切替部２６ａの第１凹部４２と第２凹部４４との間に設けられている。この平行ピン４６は、保持部材２８の樹脂製の本体３２よりも剛性のあるステンレス（例えば、ＳＵＳ３０４）等の金属製である。
また、各平行ピン４６は、その大半が各固定位置切替部２６ａに埋め込まれているが、外側表面が各固定位置切替部２６ａの外側面から露出して弧状の凸部を形成している。これにより、各平行ピン４６は、保持部材２８の傾斜をある程度規制することができるようになっている。
【００３２】
一方、図５〜図９に示すように、保持部材２８の本体３２の各側壁部３２ｂには、左右方向に貫く単一のボール取付穴３２ｄがそれぞれ形成されている。そして、各ボール取付穴３２ｄには、ステンレス（例えば、ＳＵＳ３０４）等の金属製のボール４８がそれぞれ嵌め込まれている。
また、図５〜図９に示すように、各ボール４８の外側は、保持部材２８の本体３２の各側壁部３２ｂに取り付けられたボール押え部材５０によって保持されている。このボール押え部材５０は、前後方向から見て概ねＵ字状に形成されており、保持部材２８の本体３２の側壁部３２ｂの外側面と固定部材２６の内壁面２６ｃとの間で保持されている。そして、ボール押え部材５０の下部は、一対のねじ部材５２，５２によって保持部材２８の本体３２の下部に固定されている。
さらに、図６に示すように、ボール押え部材５０によって保持されている状態の各ボール４８は、各固定位置切替部２６ａの外側面に向かって各ボール取付穴３２ｄから内側に突出した状態が維持されている。これにより、各ボール４８は、固定部材２６に対する保持部材２８の本体３２の回動状態に応じて、第１凹部４２に嵌合したり、第１凹部４２と第２凹部４４との間の平行ピン４６を乗り越えて第２凹部４４に嵌合したりすることができるようになっている。
【００３３】
ここで、図３、図６及び図８に示す本実施形態の水栓装置１では、各ボール４８が固定部材２６の各固定位置切替部２６ａの第１凹部４２に嵌合され、保持部材２８の本体３２が固定部材２６の第１固定位置Ｑ１に固定されている状態を示している。この状態では、図３に示すように、第１固定位置Ｑ１に固定されている保持部材２８（本体３２及びホースガイド３４）により、非使用時のスパウト１４及びホース２４が収納位置Ｐ１で保持されている状態となっている。
また、この状態では、図３、図６及び図８に示すように、保持部材２８の本体３２の円筒部３２ａの中心軸線Ａ１が、固定部材２６の前後方向の中心軸線Ａ１と一致している。
【００３４】
一方、図４及び図９に示す本実施形態の水栓装置１では、各ボール４８が固定部材２６の各固定位置切替部２６ａの第２凹部４４に嵌合され、保持部材２８の本体３２が固定部材２６の第２固定位置Ｑ２に固定されている状態を示している。この状態では、図４に示すように、第２固定位置Ｑ２に固定されている保持部材２８（本体３２及びホースガイド３４）により、スパウト１４及びホース２４が引出可能位置Ｐ２で保持されている状態となっている。
また、この状態では、図４及び図９に示すように、保持部材２８の本体３２の円筒部３２ａの中心軸線Ａ４が、固定部材２６の前後方向の中心軸線Ａ１に対して所定の傾斜角度αで下方に傾斜した状態となっている。
なお、保持部材２８の本体３２が第１固定位置Ｑ１から第２固定位置Ｑ２まで下方に傾斜した状態の傾斜角度αについては、１０°〜２０°に設定されることが好ましく、１５°〜１８°に設定されることがより好ましい。
【００３５】
さらに、図３、図４、図８及び図９に示すように、本実施形態の水栓装置１においては、収納位置Ｐ１のスパウト１４を収納スペースＳ内から引き出す前の準備として、使用者がスパウト１４の前端部等を把持した状態で、スパウト１４を下方に傾斜させて、収納スペースＳ１の外部に取り出す操作が下向きの操作力（以下「傾斜操作力Ｆ１」）（図３参照）で行われるようになっている。
このようなスパウト１４の取り出し操作により、保持部材２８（本体３２及びホースガイド３４）についても、第１固定位置Ｑ１から回転の中心軸線Ａ２，Ａ３回りに下方に回動し、平行ピン４６を乗り越えて、第２固定位置Ｑ２まで回動する操作が行われるようになっている。そして、スパウト１４は、収納スペースＳ内の収納位置Ｐ１（図３参照）から引出可能位置Ｐ２（図４参照）まで下方に傾斜した状態となる。
すなわち、スパウト１４を下方に傾斜させる傾斜操作力Ｆ１により、第１固定位置Ｑ１の保持部材２８の本体３２のボール２４は、固定部材２６の第１凹部４２に嵌合している状態から外れ、固定部材２６に対する保持部材２８の本体３２の固定が一旦解除されるようになっている。その後、ボール２４は、保持部材２８の本体３２の下方への回動に伴って、固定部材２６の固定位置切替部２６ａの平行ピン４６を乗り越えた後、第２凹部４４に嵌まり込み、保持部材２８の本体３２が固定部材２６に対して第２固定位置Ｐ２に固定されるようになっている。
したがって、固定部材２６に対する保持部材２８の本体３２が第１固定位置Ｑ１又は第２固定位置Ｑ２のいずれかの固定位置に固定されている場合において、傾斜操作力Ｆ１よりも小さい操作力で操作を行ったとしても、保持部材２８の本体３２の固定位置は変更されることなく、操作前の固定状態が依然として維持されるようになっている。
【００３６】
ここで、図４及び図９に示すように、スパウト１４が収納スペースＳから取り出されて引出可能位置Ｐ２にある状態では、保持部材２８の本体３２のボール２４が固定部材２６の第２凹部４４に嵌合し、第２固定位置Ｑ２に固定されている状態となっている。
これにより、保持部材２８の本体３２が固定部材２６に対して第２固定位置Ｑ２で固定された状態が維持されたままで、引出可能位置Ｐ２のスパウト１４について安定した引き出し操作が可能な状態となっている。
【００３７】
つぎに、図４及び図９に示すように、本実施形態の水栓装置１においては、収納スペースＳ１の外部に取り出された状態の引出可能位置Ｐ２のスパウト１４について、使用者がスパウト１４の前端部等を把持した状態で、保持部材２８の本体３２の円筒部３２ａの中心軸線Ａ４に沿って斜め前方且つ下方に操作力（以下「引出操作力Ｆ２」）（図４参照）でスパウト１４を引き出す操作が行われるようになっている。
この引出操作力Ｆ２による引き出し操作により、スパウト１４の後端の接続部１４ａ（図４参照）は、保持部材２８の本体３２の前端の接続部３２ｅ（図４参照）と接続した状態から解除されるようになっている。そして、スパウト１４は、保持部材２８の本体３２から切り離されて使用者によって自由な姿勢で使用可能になると共に、ホース２４は、スパウト１４と一体的にホースガイド３４のガイド穴ｈ１に沿って摺動することができるようになっている。
【００３８】
ちなみに、本実施形態の水栓装置１においては、図３に示す傾斜操作力Ｆ１と図４に示す引出操作力Ｆ２とについて、同一方向の力成分で大きさを比較した場合、引出操作力Ｆ２は、傾斜操作力Ｆ１よりも大きくなるように設定されている。
なお、傾斜操作力Ｆ１については、２［Ｎ］〜１０［Ｎ］に設定されていることが好ましく、６［Ｎ］〜８［Ｎ］に設定されていることがより好ましい。
また、引出操作力Ｆ２については、１５［Ｎ］〜３８［Ｎ］に設定されていることが好ましく、２０［Ｎ］〜２５［Ｎ］に設定されていることがより好ましい。
【００３９】
つぎに、図４に示すように、引出可能位置Ｐ２におけるスパウト１４の上端１４ｂは、棚１２の前側に設けられた棚壁１２ａの下端よりも下方に位置している。これにより、図４に示す引出可能位置Ｐ２のスパウト１４について引き出し操作を行った際には、スパウト１４と棚１２とが接触することを防ぐことができるようになっている。
【００４０】
また、図３に示すように、収納位置Ｐ１におけるスパウト１４の上面１４ｃと棚１２の下面１２ｂ（収納スペースＳの天面）との間には、隙間Ｇが形成されている。これにより、例えば、引出可能位置Ｐ２のスパウト１４を収納位置Ｐ１まで戻した際に、スパウト１４の上面１４ｃと棚１２の下面１２ｂとが接触しないようになっている。
【００４１】
つぎに、上述した本発明の一実施形態による水栓装置１における作用について説明する。
まず、本発明の一実施形態による水栓装置１によれば、収納スペースＳ内に収納された状態のスパウト１４について、使用時に、仮に、棚１２や収納スペースＳの前方に向かって単純に引き出そうとすると、スパウト１４が棚１２の前側の棚壁１２ａや収納スペースＳを形成する内壁に接触する等して引き出すことができない。
しかしながら、本実施形態では、スパウト１４を収納スペースＳ内から引き出す前の準備として、保持部材２８の本体３２について固定部材２６との固定を解除して下方に傾斜させることができる。これにより、スパウト１４及びホース２４について収納スペースＳ内の収納位置Ｐ１から引出可能位置Ｐ２まで下方に傾斜させることができる。そして、スパウト１４及びホース２４を下方に傾斜させた状態で保持部材２８の本体３２を固定部材２６に対して固定することができる。
したがって、非使用時のスパウト１４については収納スペースＳ内に隠蔽することによりデザイン性を向上させることができると共に、使用時のスパウト１４やホース２４については、棚１２や収納スペースＳを形成する壁等に接触させることなく、スムーズに安定して引き出すことができる。
これらの結果、デザイン性がよく、かつ、使用者の使い勝手がよい水栓装置１を提供することができる。
【００４２】
また、本発明の一実施形態による水栓装置１によれば、スパウト１４の引き出し操作に要する引出操作力Ｆ２（図４参照）が、スパウト１４を収納位置Ｐ１から引出可能位置Ｐ２に向かって下方に傾斜させる傾斜操作力Ｆ１（図３参照）よりも大きい。このため、スパウトを収納部から引き出す前の準備として、傾斜操作力Ｆ１でスパウト１４を収納位置Ｐ１から引出可能位置Ｐ２に向かって下方に傾斜させた際には、スパウト１４及びホース２４は、保持部材２８（本体３２及びホースガイド３４）から引き出されることなく、固定部材２６に対しても固定された状態が維持される。
したがって、スパウト１４を下方に傾斜させた際に、スパウト１４の接続部１４ａが保持部材２８の本体３２の接続部３２ｅから外れて、スパウト１４が固定部材２６から誤って脱落してしまうことを防ぐことができる。
【００４３】
さらに、本発明の一実施形態による水栓装置１によれば、引出可能位置Ｐ２におけるスパウト１４の上端１４ｂが、棚１２の前側に設けられた棚壁１２ａの下端よりも下方に位置している。このため、引出可能位置Ｐ２のスパウト１４について引き出し操作を行った際には、スパウト１４と棚１２とが互いに接触することを防ぐことができる。
したがって、スパウト１４や棚１２の損傷を防ぐことができる。
【００４４】
さらに、本発明の一実施形態による水栓装置１によれば、スパウト１４が収納スペースＳから取り出されて状態では、保持部材２８の本体３２が固定部材２６によって固定された状態である。このため、引出可能位置Ｐ２のスパウト１４及びホース２４を保持部材２８（本体３２及びホースガイド３４）に対して引き出す際には、安定した引き出し操作を行うことができる。
また、使用後の引き出した状態のスパウト１４を元の引出可能位置Ｐ２に戻す際にも、保持部材２８（本体３２及びホースガイド３４）が固定部材２６によって第２固定位置Ｑ２に固定された状態であるため、安定した戻し操作を行うことができる。
したがって、引出可能位置Ｐ２のスパウト１４を収納位置Ｐ１に戻す際においても、収納スペースＳに対するスパウト１４の収納性についても向上させることができる。
【００４５】
さらに、本発明の一実施形態による水栓装置１によれば、例えば、スパウト１４が収納位置Ｐ１にあるときには、保持部材２８の金属製のボール４８が固定部材２６の固定位置切替部２６ａの第１凹部４２に嵌合する。これにより、保持部材２８（本体３２及びホースガイド３４）が固定部材２６に対して第１固定位置Ｑ１に固定される。
そして、スパウト１４を収納位置Ｐ１から引出可能位置Ｐ２に傾斜させる際には、保持部材２８の金属製のボール４８が、保持部材２８の傾斜を規制する固定部材２６の金属製の平行ピン４６を乗り越えた後、固定部材の第２凹部４４に嵌合する。これにより、保持部材２８（本体３２及びホースガイド３４）が固定部材２６に対して第２固定位置Ｑ２に固定される。
このとき、保持部材２８の本体３２が樹脂製であっても、保持部材２８のボール４８と固定部材２６の平行ピン４６が保持部材２８の本体３２よりも剛性のある金属製であるため、保持部材２８のボール４８が固定部材２６の平行ピン４６に接触して乗り越える際に、互いの摩耗や損傷を抑制することができる。
したがって、保持部材２８と固定部材２６のそれぞれの耐久性を向上させることができる。
【００４６】
さらに、本発明の一実施形態による水栓装置１によれば、ホース２４と保持部材２８の本体３２との間に水浸入抑制部材であるホースガイド３４を設けたことにより、スパウト１４側から保持部材２８を介して固定部材２６へ水が浸入することを抑制することができる。こればかりでなく、スパウト１４が引き出される際には、ホースガイド３４によりホース２４を安定してガイドすることができる。
また、使用後の引き出した状態のスパウト１４を元の引出可能位置Ｐ２に戻す際や、引出可能位置Ｐ２から収納位置Ｐ１に戻す際にも、スパウト１４やホース２４を安定してガイドすることもできる。
したがって、スパウト１４及びホース２４について、引き出し時の操作性、並びに、引き戻し時や収納時の操作性を向上させることができる。
【００４７】
さらに、本発明の一実施形態による水栓装置１によれば、収納位置Ｐ１におけるスパウト１４の上面１４ｃと棚１２の下面１２ｂとの間に隙間Ｇにより、スパウト１４が収納スペースＳ内に収納された際に棚１２と接触することを防ぐことができる。
したがって、スパウト１４と棚１２との接触による損傷や異音の発生を防ぐことができる。
【００４８】
また、本発明の一実施形態による水栓装置１を備えた洗面化粧台２によれば、非使用時のスパウト１４については収納スペースＳ内に隠蔽することによりデザイン性を向上させることができる。同時に、使用時のスパウト１４やホース２４については、棚１２や収納スペースＳを形成する壁等に接触させることなく、スムーズに安定して引き出すことができる洗面化粧台を提供することができる。
したがって、デザイン性がよく、かつ、使用者の使い勝手がよい水栓装置１を備えた洗面化粧台２を提供することができる。
【符号の説明】
【００４９】
１        水栓装置
２        洗面化粧台
４        ボウル
６        壁面
８        下部キャビネット
１０        上部キャビネット
１２        棚
１２ａ      棚壁
１２ｂ      棚の下面
１４        スパウト
１４ａ      スパウトの接続部
１４ｂ      スパウトの上端
１４ｃ      スパウトの上面
１６        操作ハンドル
１８        タッチスイッチ
２０        人体検知センサ
２２        吐水口
２４        ホース
２６        固定部材
２６ａ      固定位置切替部
２６ｂ      回動取付部
２６ｃ      内壁面
２８        保持部材
３０        ねじ部材
３２        保持部材の本体
３２ａ      円筒部
３２ｂ      側壁部
３２ｃ      回動部
３２ｄ      ボール取付穴
３２ｅ      接続部
３４        ホースガイド（水浸入抑制部材）
３６        止め輪
３８        止め輪
４０        ピボットピン
４２        第１凹部
４４        第２凹部
４６        平行ピン（凸部）
４８        ボール
５０        ボール押え部材
５２        ねじ部材
Ａ１      固定部材及び保持部材のガイド穴の中心を通る前後方向の中心軸線
Ａ２      固定部材の各回動取付部の中心を通る左右方向に延びる中心軸線
Ａ３      保持部材の本体の各回動部の回転中心軸線
Ａ４      引き出し方向の中心軸線
Ｆ１      傾斜操作力
Ｆ２      引出操作力
Ｇ        隙間
ｈ１      ガイド穴
ｈ２      ガイド穴
Ｓ        収納スペース（収納部）
Ｐ１      収納位置
Ｐ２      引出可能位置
Ｑ１      第１固定位置
Ｑ２      第２固定位置
【図１】
2019039284.tif 000003
【図２】
2019039284.tif 000004
【図３】
2019039284.tif 000005
【図４】
2019039284.tif 000006
【図５】
2019039284.tif 000007
【図６】
2019039284.tif 000008
【図７】
2019039284.tif 000009
【図８】
2019039284.tif 000010
【図９】
2019039284.tif 000011